(57)【要約】【課題】  スロープ上で工具を全く使用せずに、所望の傾斜角度に素早く容易に位置決めできる調節可能なバックプレートを有するスノーボードバインディングアセンブリを提供すること。【解決手段】  本バインディングアセンブリのバックプレートは、バックプレートとベースプレートとの間の所望の傾斜角度を調節するためにベースプレートに回動自在に取り付けられる。後方面上には複数の歯が位置し、これにより、バックプレートの長手方向軸に沿って後方面上に配置された歯ざおを形成する。バックプレートの後方面には、ブロックがバックプレートの長手方向軸に沿って可動であるように、歯ざおの少なくとも一部に沿って可動ブロックが取り付けられる。ブロックは、バックプレートの長手方向軸に沿ったブロックとバックプレートとの間の上向きの動きを防止する歯ざおと噛み合う歯を持つ、バックプレート側を向いたフロント表面を有する。【選択図】  なし【特許請求の範囲】
【請求項１】
ブーツをスノーボードに固定するための調節可能なスノーボードバインディングであって、以下：
該スノーボードに取り付けられるように適合されたベース部材（２０）であって、前方端部および後方端部を有する、ベース部材；
バックサポート（４０）であって、該バックサポートと該ベース部材との間の連結角度を調節するよう該ベース部材に回動自在に取り付けられており、そして後方を向いた後方面（４２）を有する、バックサポート；
可動ブロック（６０）であって、該ブロックは、該バックサポート（４０）の該後方面（４２）に取り付けられ、そして、解除位置において、該バックサポートの後方面上の進路に沿って移動可能なように適合されており、かつロック位置において、該バックサポートが後方に回動するのを防ぐよう適合されており、該ブロックは、前方を向いた前方面を有し、ここで、該ブロックが、該進路上で、該バックサポート（４０）と噛み合い可能であり、該噛み合いは、該ロック位置で該ブロックを該バックサポートに取り外し可能にロックし、そして進路上での該ブロックと該バックサポートとの間の相対的な動きを防ぎ、該ブロックは第１および第２の肩部（６３Ａ、６３Ｂ）を前記フロント表面上にさらに備え、該肩部は、該ブロックを該バックサポートの歯ざおと整列させ、そして該バックサポートの長手方向軸に沿った該ブロックと該バックサポートとの間の横断方向の動きを防止する、可動ブロック；および
クイックリリースロック機構（９０）であって、該クイックリリースロック機構は、該ロック位置で、該ブロックと該バックサポートとをしっかりと噛み合わせて、該進路に沿った該ブロックと該バックサポートとの間の相対的な動きを防ぐように該バックサポートに取り付けられており、該クイックリリース機構はまた、解除位置に配置可能であり、該解除位置において、該ブロックを該バックサポートから離し、そして該ブロックが、該進路に沿って、該バックサポートに対して移動することを可能にし、ここで、該バックサポートの最大継ぎ目角度は、該クイックリリースロック機構を該解除位置に配置し、該ブロックを該進路に沿って所望の場所へ動かし、そして該クイックリリース機構を該ロック位置に再配置することによって調節される、クイックリリースロック機構、
を備る、スノーボードバインディング。
【発明の詳細な説明】
【技術分野】
【０００１】
本発明は、スノーボードに対するバックプレートの前方傾動を調節する回動バックプレートを有するスノーボードバインディングに関する。
【背景技術】
【０００２】
スノーボードは、乗り手（ｒｉｄｅｒ）が、一本の比較的幅広の板の上で雪に覆われたスロープを滑降する冬のスポーツである。スノーライダー（ｓｎｏｗｒｉｄｅｒ）は、一般に、長さ１．５２ｍ（５フィート）、幅３０４．８０ｍｍ〜４５７．２０ｍｍ（１２〜１８インチ）であり、先端が上向きに曲げられている。また、スノーボードの各サイドは、先端および尾部から中間部分にかけて内向きにテーパしており、各エッジは、ボードの長手方向中央線に対して凹状の形状を有する。スノーボードに乗る際、乗り手は、スノーボードに取り付けられたバインディングに対して、ブーツを取外し可能に固定する。サーフィンやスケートボードと同様に、乗り手は、両足の爪先をボードの一方のサイド（トウサイド）に向け、両足の踵をボードの他方のサイド（ヒールサイド）に向けてスノーボードに乗る。
【０００３】
乗り手は、トウサイドターンまたはヒールサイドターンを連続的に行って一方のエッジが接雪した状態を保つことによってスノーボードをコントロールする。ヒールサイドターンおよびトウサイドターンを行う能力を高めるために、現在のスノーボードバインディングは、ボードに取り付け可能なベースプレートと、背の高いバックプレートとを有する。バックプレートはベースプレートに回動自在に取り付けられており、これにより、ベースプレートに対して所定の前方角度にセットできる。背の高いバックプレートは、乗り手のブーツの後部を受けるように成形されている。ベースプレートにはヒールカップ（ｈｅｅｌ  ｃｕｐ）が取り付けられ、ヒールカップの上で調節可能ブロックがねじによってバックプレートに取り付けられる。スノーボードの乗り手が後方に傾動すると、背の高いバックプレートは、ブロックがヒールカップに係合するまで、ベースプレートに対して後方に回動する。従って、バックプレート上のブロックの垂直方向位置によって、バックプレートとベースプレートとの間の傾斜角度が所定の前方角度以下に制限される。バックプレート上のブロックの位置が低い程、バックプレートはベースプレートに対してより前方に傾斜し、所定の前方角度はより小さくなる。使用中、乗り手がボードのエッジをより効率的に接雪させられるように、バックプレートの所定の前方角度をバインディングのフロント側に傾斜するように選択することができる。従って、角度調節可能なバックプレートによって、ターンを行いスノーボードをコントロールする乗り手の能力が高められる。
【０００４】
従来のスノーボードバインディングシステムは、ＷＯ９３／１４８３５から公知である。
【０００５】
回動バックプレートを有する従来のスノーボードバインディングの問題の１つは、特に雪に覆われた斜面上での短時間の休止時に、バックプレートとベースプレートとの間の傾斜角度を素早く容易に調節することが難しいことである。バックプレートとベースプレートとの間の最適な傾斜角度は、複数のファクターの関数であり、それらのファクターのいくつかを挙げると、（１）スロープ上の雪の状態、（２）特定の滑降コースの地形、（３）雪庇（ｃｏｒｎｉｃｅｓ）からのジャンプ等の乗り手が行う特殊な技、および（４）その乗り手の特有のフォームおよび能力がある。多くの場合、雪の状態、地形および特殊な技は、ある斜面上で滑走コース毎に異なるので、スノーボーダーは１回の滑降毎に、あるいは１回の滑降の間に、バックプレート上のブロックの位置を調節したい場合が多い。しかし、従来のバインディング上のブロックを斜面上で調節するのは難しい。なぜなら、ブロックをバックプレートから外してバックプレート上でのブロックの位置を変えるためには、乗り手はドライバーまたは他の工具を用いてブロックのねじを操作しなければならないからである。乗り手がバックプレート上のブロックの位置を変えた後、ブロックをバックプレートに再び取り付けるために、乗り手は再び工具を用いてブロックのねじを操作しなければならない。スロープで工具を持ち運ぶのは不便であり、多くの場合、氷のように冷たい寒冷条件下において工具を素手で扱うのは痛いことが理解される。従って、ほとんどのスノーボーダーは、バックプレートの角度の調節を思っている程頻繁には行わない。従って、スノーボードの性能を最適化するために、ブーツをバインディングから取り外すことなく、そして工具を使用せずに、スロープ上で素早く容易に調節できる調節可能バックプレートを有するスノーボードバインディングを開発することが望まれる。
【特許文献１】国際特許出願公開ＷＯ９３／１４８３５号明細書
【発明の開示】
【課題を解決するための手段】
【０００６】
（発明の要旨）
本発明は、工具を全く使用せずに、所望の傾斜角度に素早く容易に位置決めできる調節可能なバックプレートを有するスノーボードバインディングアセンブリである。バインディングアセンブリは、スノーボードに取り付け可能なベースプレートを有する。このベースプレートは、前方端部と、後方端部と、後方端部側に乗り手のブーツの踵に合う形状に形成されたヒールブレース（ｈｅｅｌ  ｂｒａｃｅ）とを有する。バックプレートは、ベースプレートに回動自在に取り付けられ、これにより、バックプレートとベースプレートとの間の所望の傾斜角度を調節する。バックプレートは、概ねヒールブレース側を向いた後方面と、後方面上に配置された複数の歯とを有し、これにより、バックプレートの長手方向軸に沿って後方面上に配置された歯ざお（ｒａｃｋ  ｏｆ  ｔｅｅｔｈ）が形成される。歯ざおの各歯は、バックプレートの長手方向軸に対して実質的に横断方向に延びている。
【０００７】
可動ブロックは、バックプレートの長手方向軸に沿って可動になるように、歯ざおの少なくとも一部に沿ってバックプレートの後方面に取り付けられる。ブロックはフロント表面を有する。このフロント表面は、バックプレート側を向いており、歯ざおと噛み合う歯を有し、これにより、ブロックとバックプレートとの間の、バックプレートの長手方向軸に沿った上方向の動きを防止する。ブロックは、ベースをも有する。このベースは、ヒールブレースに接触係合して、バックプレートが所望の傾斜角度を越えて後方に回動することを防ぐ。
【０００８】
ブロックの歯を歯ざおに選択的に係合させて、バックプレートの長手方向軸に沿ったブロックとバックプレートとの間の相対的な動きを防ぐクイックリリースロック機構がバックプレートに取り付けられる。この解除可能なロック機構は、手で掴むように調節された操作体（ａｃｔｕａｔｏｒ）と、操作具に接続された駆動体（ｄｒｉｖｅｒ）とを有する。駆動体は、ブロックに係合して、ブロックの歯を歯ざおにしっかりと係合させる。操作体は選択的に解除位置に位置決め可能であり、そうすることにより駆動体をブロックから外して歯を歯ざおから外してブロックをバックプレートに対して長手方向に可動にすることができる。同様に、操作体はロック位置に位置決め可能であり、そうすることにより駆動体をブロックに係合させて、歯を歯ざおに係合させてブロックをバックプレートに固定してバックプレートに対して長手方向に上向きに動かないようにすることができる。操作体を解除位置に位置決めし、ブロックをバックプレートの長手方向軸に沿って歯ざお上の所望の位置まで動かし、そして、操作体をロック位置に再位置決めすることによって、バックプレートのベースプレートに対する最大傾斜角度が選択的に調節される。
【０００９】
（発明の詳細な説明）
本発明は、バックプレートとベースプレートとの間の前方傾斜角度を素早く容易に調節するための、工具を使用せずに手で掴んで操作できる調節機構を有するスノーボードバインディングである。本発明の重要な局面は、クイックリリースロック機構である。このクイックリリースロック機構は、手で掴むように調節された操作体と、この操作体に接続された駆動体とを有する。この操作体は、防護手袋を外したり工具を使用することなく、解除位置とロック位置との間で動かすことができる。重要なことは、操作体を解除位置に位置決めし、ブロックを所望の位置に動かし、そして単にロック位置に操作体を再位置決めすることによってバックプレートとベースプレートとの間の傾斜角度が調節されることである。従って、スノーボーダーは、ブーツをバインディングから外すことなく、スロープ上で素早く容易にバックプレートの傾斜を調節してスノーボードの性能を最適化することができる。図１〜図７は本発明によるスノーボードバインディングアセンブリを示しており、全図面にわたって同じ参照番号は同じ部材を指している。
【００１０】
図１は、ベースプレート２０を有するスノーボードバインディングアセンブリ１０を示す。ベースプレート２０は、前方端部２１と、後方端部２２と、それぞれ前方端部２１および後方端部２２の間に延びる左側サイド２３および右側サイド２４と、ヒールブレース２８とを有する。ヒールブレース２８は、左側サイド２３および右側サイド２４の間で、実質的に後方端部２２より後方に円弧状に延びる。好ましくは、左側サイド２３および右側サイド２４に複数の穴２６が配置され、これらの穴により、複数のねじ１１を用いて左側サイド２３および右側サイド２４にヒールブレース２８が可動に取り付けられる。あるいは、ヒールブレース２８は、その後方端部２２に向けてベースプレート２０と一体形成され得る。トウストラップ（ｔｏｅ  ｓｔｒａｐ）３２は、前方端部２１においてベースプレート２０に可動に取り付けられ、調節可能アンクルストラップ（ａｎｋｌｅ  ｓｔｒａｐ）３４は、後方端部２２またはヒールブレース２８のいずれかの位置でベースプレート２０に取り付けられる。アンクルストラップ３４は、バインディングアセンブリ１０内においてベースプレート２０の上に位置決めされた乗り手のブーツ（図示せず）に対してアンクルストラップを引っ張るためのバックル３６を有する。バインディングアセンブリ１０はマウンティングプレート（図示せず）によってスノーボード（図示せず）に取り付けられる。マウンティングプレートは、バインディングアセンブリ１０に取り付けられ、ベースプレート２０の底に開いた大きな中央開口部２５内に位置決めされる。
【００１１】
バックプレート４０は、左側サイドおよび右側サイド回動ねじ１２によって、ベースプレート２０、好ましくは（図１に示すように）ヒールブレース２８に回動自在に取り付けられる。バックプレート４０は、左側サイドおよび右側サイド回動ねじ１２を通って延びる回転軸を中心にベースプレート２０に対して回動するので、バックプレート４０とベースプレート２０との間の前方傾斜角度を調節して、乗り手が後方に傾動したときにスノーボードの性能を最適化する所望の傾斜角度を得ることができる。バックプレート４０は、概ねベースプレート２０の前方端部２１側を向いた、乗り手のブーツの上側部分を受けてこれに係合するフロント面４１と、概ねヒールブレース２８側に向かって後方を向いた後方面４２とを有する。好ましくは、バックプレート４０は、実質的にヒールブレース２８の上部縁２９よりも上に位置する上側エッジ４３と、ヒールブレース２８の下側エッジ３０よりも下に位置する底部エッジ４４とを有する。バックプレート４０の後方面４２上には複数の歯５０が位置し、これにより、図１のＡ−Ａ線によって示されるバックプレート４０の長手方向軸Ａ−Ａに沿って後方面４２上に配置された歯ざお５２が形成される。歯５０は、バックプレート４０の長手方向軸Ａ−Ａに対して実質的に横断方向に延びて、歯ざお５２の幅Ｗを規定している。以下に詳細に述べるように、歯ざお５２は、使用中、バインディングアセンブリの可動ブロック６０が軸Ａ−Ａに沿ってバックプレート４０に対して長手方向に動くことを防止する表面を提供する。穴４６は、歯ざお５２の概略中間部分において、バックプレート４０を通って延びている。
【００１２】
可動ブロック６０は、図１〜図３において最良に図示されている。組み立ての際、ブロック６０は、歯ざお５２に沿って所望の位置へと選択的に可動になるようにバックプレート４０の後方面４２に取り付けられる。図２に示すように、ブロック６０はフロント面６１を有する。フロント面６１は、第１および第２の肩部６３Ａおよび６３Ｂを有する。第１および第２の肩部６３Ａおよび６３Ｂは、バックプレート４０上の歯５０の幅よりも僅かに大きい距離だけ間隔が空けられている。この第１および第２の肩部６３Ａおよび６３Ｂは、歯ざお５２上でのバックプレート４０の長手方向軸Ａ−Ａに沿ったブロック６０の長手方向の動きをガイドする。さらに、第１および第２の肩部６３Ａおよび６３Ｂは、ブロック６０とバックプレート４０との間の、バックプレート４０の長手方向軸に対する望ましくない横断方向の動きおよび回転方向の動きを防ぐ。複数の歯６４がブロック６０のフロント面６１上に位置しており、これにより、ブロック６０の長手方向軸Ｂ−Ｂに沿ってフロント面６１上に配置された歯ざお６６を形成している。ブロック６０の歯６４は、バックプレートの歯５０と噛み合うように歯５０とは反対の傾き（ｓｌｏｐｅ）を有しており、これにより、歯６４上の複数の平坦ロック面（ｆｌａｔ−ｌｏｃｋｉｎｇ  ｓｕｒｆａｃｅｓ）６５が、これと同じ数の歯５０の平坦ロック面５６に当接する。歯５０の平坦ロック面５６は下向きであり、歯６４の平坦ロック面６５は上向きである。従って、歯６４および歯５０が互いに噛み合うと、バックプレートの長手方向軸Ａ−Ａに沿ったバックプレート４０に対するブロック６０の上向きの動きを防止する。さらに、歯５０および６４は傾斜表面を有しているので、歯５０および歯６４の平坦ロック面５６および６５が互いから外れたときに、ブロック６０は、長手方向軸Ａ−Ａに沿って下向きにスライドできる。
【００１３】
また、ブロック６０は、その下側端部にベース６２を有する。ベース６２は、ヒールブレース２８の上部縁２９に係合し、そして、バックプレート４０とベースプレート２０との間の所望の前方傾斜角度を越えてバックプレート４０が後方に回動することを防ぐように位置および大きさが決められている。ベース６２は、ブロック６０から後方にヒールブレース２８の上部縁２９の上を通って突出したフランジ部６２Ａを有するが、ベース６２は他の形状を有していてもよい。左側サイドおよび右側サイドの対向ハンドグリップ６７は、ブロック６０のサイドに沿って形成される。グリップ６７は、ブロック６０の中央線Ｂ−Ｂに対して凹状の形状を有しているが、スノーボードの乗り手がブロック６０を把持する能力を高める粗面を有していてもよい。ブロック６０内に形成された細長いスロット７０は、ブロック６０の下側部分からブロック６０の上側部分にかけてブロックの長手方向軸Ｂ−Ｂに沿って延びる。バックプレート４０の長手方向軸Ａ−Ａに沿ってブロック６０を長手方向に動かして、歯６４がバックプレート４０の歯５０に係合するようにブロック６０を位置決めする際、第１および第２の肩部６３Ａおよび６３Ｂは、バックプレート４０内の穴４６と位置合わせされたスロット７０と共に、ブロックを歯ざお５２上の定位置に保つ。
【００１４】
別の実施形態においては、歯５０の代わりに、バックプレート４０の後方面４２上に複数のピンまたはその他の突起を配置し得る。さらに別の実施形態においては、突起の代わりに後方面上に複数のへこみ（ｄｅｐｒｅｓｓｉｏｎｓ）または穴を配置し得る。これに対応して、複数のピン、穴、へこみまたは突起を、歯６４の代わりにブロック６０のフロント面６１に配置し得る。重要なことは、バックプレート４０の後方面４２上に形成される形状（ｆｅａｔｕｒｅｓ）が、ブロック６０のフロント面６１上に形成された形状と噛み合って、バックプレート４０の長手方向軸Ａ−Ａに沿った方向における、ブロック６０とバックプレート４０との間の動きを防止するようにその形状（ｆｅａｔｕｒｅｓ）を選択することである。
【００１５】
図１および図３は、ブロック６０の後方表面７１を最良に示している。後方表面７１は、その中にスロット７０がある細長い凹部（ｒｅｃｅｓｓ）７２と、対向するスロット７０の各サイドから間隔が空けられ、凹部７２の細長いサイドを規定する第１および第２のレール７７および７８とを有する。凹部７２は、第１のレール７７とスロット７０との間に配置された第１のパッド７４と、第２のレール７８とスロット７０の他方のサイドとの間に配置された第２のパッド７５とを有する。後述するように、パッド７４および７５は、乗り手のスノーボードバインディング１０の使用中に、クイックリリースロック機構が作用してブロック６０をバックプレート４０に対してしっかりと駆動するための面を提供する。使用中、レール７７および７８は、パッド７４および７５に対して正しい方向にクイックリリース機構をガイドするのを助ける。
【００１６】
図１に示すクイックリリースロック機構９０は、ブロック６０上の歯６４をバックプレート４０上の歯５０に対して駆動および保持し、これにより、ブロック６０とバックプレート４０との間の長手方向の動き、特に、バックプレート４０に対するブロック６０の上向きの動きを防ぐ。ロック機構９０は、手で操作できる操作体９１と、操作体９１に接続された駆動体９２とを有する。重要なことは、操作体９１が、手袋をしたままで工具を全く使用せずに人の手で容易に把持および操作できることである。図示した実施形態において、操作体９１はレバーであり、駆動体９２は第１および第２のカムローブ９５および９７をそれぞれ有するカムである。各カムローブの穴９８（図４および図５に図示）に入れられた回動ピン１０１によって、第１および第２のカムローブ９５および９７の間にねじ切り埋込みボルト１００が回動自在に接続される。
【００１７】
ロック機構９０はナット１０２をも有する。ナット１０２は、足（ｆｏｏｔ）１０３と、足１０３に取り付けられた内側にねじが切られたスリーブ１０４とを有する。スリーブ１０４は、バックプレート４０内の穴４６内に位置決めされ、これにより、埋込みボルト１００のねじ切り端部をねじ受け（ｔｈｒｅａｄａｂｌｙ  ｒｅｃｅｉｖｅ）できるようにスリーブ１０４が位置合わせされる。埋込みボルト１００およびナット１０２は、操作体９１および駆動体９２をバックプレート４０に結合し、駆動体９２がブロック６０をバックプレート４０に対して駆動および保持できるように駆動体９２をブロック６０に対して位置決めする。レール７７および７８は、カム９２の幅よりも僅かに大きい距離だけ互いに間隔が空けられており、これにより、カムがレール間に位置決めされる際に埋込みボルト１００の長手方向軸を中心にカム９２が回転するのを防ぐ。ロック機構９０の足１０３はバックプレート４０のフロント面４１に位置決めされ、また、スリーブ１０４および足１０３が穴４６を通して後方に引かれるのを防ぐために、足１０３の大きさは穴４６よりも大きく決められる。
【００１８】
図４および図５は、ブロック６０およびバックプレート４０に対するロック機構９０の動作を示す。図４を参照して、第２のカムローブ９７内の穴９８は埋込みボルト１００が回動するピン１０１を受けることを示す。ラジアス（ｒａｄｉｕｓ）９３は、支軸Ｃ−Ｃから偏心して位置決めされ、平坦接触面（ｆｌａｔ  ｃｏｎｔａｃｔ  ｆａｃｅ）９４は支軸Ｃ−Ｃに対して鋭角に位置決めされる。第１のカムローブ９５が第２のカムローブ９７と同一であることが理解されるであろう。図５は、ロック位置にあるロック機構９０を示す。ロック位置において、ブロック６０はバックプレート４０にしっかりと係合して、両者間の相対的な長手方向の動きを防ぐ。ブロック６０の後方表面７１上の凹部７２の第２のパッド７５に第２のカムローブ９７のラジアス９３が係合するように、埋込みボルト１００は、ねじ切りスリーブ１０４内にねじによって位置決めされる。図５では見えないが、同様に、第１のカムローブ９５のラジアスが、凹部７２の第１のパッド７４に係合する。スノーボードの乗り手によってレバー９１が下向きにレール７７および７８に向かって動かされると、第１および第２のカムローブ９５および９７のラジアス９３は、支軸Ｃ−Ｃが第１および第２のパッド７４および７５を通過するまで、ブロック６０をバックプレート４０に対して駆動する。埋込みボルト１００はねじ切りスリーブ１０４内においてねじ回転自在（ｔｈｒｅａｄａｂｌｙ  ｒｏｔａｔａｂｌｅ）になっており、レバー９１が下向きに動かされると、埋込みボルト１００に相当な張力を生じてブロック６０をバックプレート４０に対してしっかりと駆動するだけの距離だけピン１０１を凹部７２から選択的に離す。好適な実施形態において、レール７７および７８の上側表面は、埋込みボルト１００がねじ切りスリーブ１０４内において回転し過ぎるのを防ぐことによって、埋込みボルト１００の張力がブロック６０をバックプレート４０に対して適切な力で駆動するような、スリーブ内における埋込みボルトの位置を確立する。
【００１９】
支軸Ｃ−Ｃが第１および第２のパッド７４および７５を通過した後、埋込みボルト１００の張力によって、第１および第２のカムローブ９５および９７の接触面９４が、それぞれ対応する凹部７２の第１および第２のパッド７４および７５にカチっと係合する。接触面９４を支軸Ｃ−Ｃに対して鋭角になるように形成すると、埋込みボルト１００の張力によって、ロック機構９０のレバー９１がブロック６０に対してしっかりと保持されて、これにより、ブロック６０がバックプレート４０に対してロックされる。この位置においては、レバー９１の不意な解除動作が行われないようになっている。
【００２０】
図示されていない別の実施形態においては、駆動体９２は、ばね（図示せず）によってブロック６０の凹部７２に対して下向きに付勢されたラム（ｒａｍ）（図示せず）であってもよく、操作体９１は、ラムの一方のサイド上に形成された第１のフランジ（図示せず）およびラムの他方のサイド上に形成された第２のフランジ（図示せず）であってもよい。使用中、ばねには張力がかけられ、これにより、ブロック６０に対してラムが引っ張られて、ブロック６０がバックプレート４０に係合する。バックプレート４０に対してブロック６０を動かす際、乗り手は、フランジを掴んでラムをブロック６０から引き離す。その後、ブロック６０をバックプレート４０に対して動かすことにより、上記のように、面６２を所望の位置に位置決めすることができる。フランジを解除して、ばねが再びラムをブロック６０側に引っ張るようにするだけで、ブロック６０をバックプレート４０に再係合させることができる。
【００２１】
図６および図７は、図１〜図５に示したバインディングアセンブリ１０の完全な動作を示す。図６は、実質的に垂直な位置にあるバックプレート４０を示す。実質的に垂直な位置において、ブロック６０は、バックプレート４０の後方面４２上の歯ざお５２の上部に対して位置決めされる。ロック機構９０はロック位置にあり、ブロック６０はバックプレート４０に対してしっかりと押し当てられ、これにより、ブロック６０とバックプレート４０との間の、バックプレート４０の長手方向軸に沿った動き（特に、スノーボードの乗り手がバインディングアセンブリ内で後方に傾動して、バックプレート４０を後方に回動させて、ブロック６０をヒールブレース２８の上部レール２９と固く係合させたときに生じがちな上向きの）を防ぐ。ブロック６０のベース６２は、ヒールブレース２８の上部縁２９に係合し、バックプレート４０がヒールブレース２８に向かって後方に回動することを防ぐ。従って、ブロック６０は、バックプレート４０とベースプレート２０との間の前方傾斜角度が、上記のようにしてバックプレート４０上のブロック６０の位置を調節して選択された角度を越えることを防ぐ。
【００２２】
ブロック６０をバックプレート４０の後方面４２に対して異なる位置に動かすために、乗り手は、その手で操作体９１を掴んで、それをバックプレート４０から離れる方向に解除位置へと動かす（図６に点線で図示）ことによってピン１０１を中心に操作体９１を回動させる。図７を参照して、バックプレート４０は、矢印Ｆによって示されるように、ベースプレート２０の前方端部に向かって前方に回動し、ブロック６０は、バックプレート４０に対して下向きに動く。ブロック６０を所望の位置に位置決めした後、乗り手は、操作体がロック位置にカチっとはまるまで操作体９１をピン１０１を中心に回動させる。
【００２３】
バックプレート４０とベースプレート２０との間の前方傾斜角度を工具を全く使用せずに素早く簡便に調節できるので本発明には利点がある。手袋をした手で掴むことができる手で操作するロック機構を設けることにより、スノーボードの乗り手は操作体９１を掴んでロック位置と開放位置との間で動かすだけで前方傾斜角度を調節することができる。従って、本発明のスノーボードバインディングアセンブリ１０を用いてバックプレート４０とベースプレート２０との間の前方傾斜角度を調節して調節可能な傾動コントロールを達成するのは、従来のスノーボードバインディングアセンブリに比べて、素早く容易である。
【図面の簡単な説明】
【００２４】
【図１】図１は、本発明によるスノーボードバインディングアセンブリの斜視図である。
【図２】図２は、図１のスノーボードバインディングアセンブリに使用される可動ブロックの正面図である。
【図３】図３は、図２の可動ブロックの背面図である。
【図４】図４は、図１のスノーボードバインディングアセンブリに使用されるレバーおよびカム駆動体（ｃａｍ  ｄｒｉｖｅｒ）の側面図である。
【図５】図５は、ロック位置における、図１のスノーボードバインディングアセンブリの可動ブロックに係合したレバーおよびカム駆動体の側面図である。
【図６】図６は、図１のスノーボードバインディングアセンブリの部分側面図であり、バックプレートは、ある傾斜角度に位置決めされている。
【図７】図７は、図６のスノーボードバインディングアセンブリの部分側面図であり、バックプレートは、より大きな傾動コントロールを得るために前方傾斜角度を比較的小さくした別の前方傾斜角度で位置決めされている。
【図１】
2004298647.tif 000002
【図２】
2004298647.tif 000003
【図３】
2004298647.tif 000004
【図４】
2004298647.tif 000005
【図５】
2004298647.tif 000006
【図６】
2004298647.tif 000007
【図７】
2004298647.tif 000008